(57)【要約】      （修正有）【課題】組立てが容易で、多数個を積み重ねて収納することができる非常用臨時トイレを提供する。【解決手段】便器部材の形体は、底に向かって尻つぼみのテーパーを取る。うず巻き流水洗部材を便座の下、便器部材の上に配置することによって、水洗式となる。【選択図】図１
0003153457.tif 000002
【実用新案登録請求の範囲】
【請求項１】
非常用臨時トイレの各部材において比較的体積を要する便器部材の形体について、分解収納時に積み重ね可能にするために底に向って尻つぼみのテーパーを取ることを特徴とした便器部材を附した非常用臨時トイレ。
【請求項２】
請求項１において、そのトイレが水洗式であることを特徴とした非常用臨時トイレ。
【請求項３】
請求項１または２記載の便器部材が、高分子例えばポリエチレンまたは塩化ビニル樹脂によって作られたことを特徴とする便器部材。
【請求項４】
請求項３の便器部材が、ブロー成形法によって作られたことを特徴とする便器部材。
【考案の詳細な説明】
【技術分野】
【０００１】  本考案は特に地震、大火災等の非常緊急時における公的な大人数用非常用臨時水洗式トイレに関する。また平常時にても臨時トイレとして使用される場合もある。
【背景技術】
【０００２】  近年、我国では宮城沖、十勝沖を震源とするマグニチュード７．０超級の大地震が相次いで発生している。また東海地域、東南海地域更には南海地域で近い将来かなりの確率で大規模地震が予測されている。１９９５年１月１７日の阪神、淡路大震災の被災者達は、その後の避難生活において食料不足以上に飲料水、トイレの難儀が深刻な問題であったと聞く。トイレに関する特許実用新案は、非常に多数あるが、多数の避難者（１０００人以上）を対象とした場合、収納場所に体積を取らないことが、必須条件となる。例えば実用新案分献１は組立式のトイレ胴部と上に乗せる便座部材と排泄物収納用袋とから構成され多数箇あっても収納に体積は取らないが多人数例えば１０００人程度が１週間滞在した場合約１万箇以上の汚物袋が発生し、それらを一箇も破裂することなく保管することは大変なことで、もし一箇でも破れれば、集団避難場所に疫病発生の恐れを生じる。よって種々の方法で、水洗用の水（飲料水でなくてよい）を確保し下水道に汚物を流す方がよい。また大災害時には各自治体でこの方式が許されているところが多い。実用新案分献２も合成樹脂プレートに複数のヒンヂ作用をする溝をつけて、折り曲げ自在とし、底板と合体させて、トイレを形成する。折り曲げて収納するので、収納時体積は取らないが、ここでも汚物袋が必要で前例と同様の欠点をもつ。【０００３】
【実用新案文献１】
実用新案登録第３１３５８０９号
【実用新案文献２】
〃      第３０５７７５３号
【考案の開示】
【考案が解決しようとする課題】
【０００４】  より多数の避難者用のトイレとなると、当然多数のものが必要となる。阪神、淡路大震災の場合大体１０００人で２０箇は必要とのことであった。多数となれば安価であることは大切だが、収納場所の体積（あえて面積と云わない）を取らないことが必須条件となる。また避難者の多くは素人であるから一般人でも容易に組立てられるものでなければならない。そこでトイレとして最も体積を取る便器部分を［図６］に開示した如く、底に向って尻つぼみにテーパーをつけて、それを多数箇積み上げたときに［図２］に示めしたものとなる、これは１０箇積み上げた場合の例示である。
【課題を解決するための手段】
【０００５】  多人数の避難者のため多数のトイレが必要で、またそれらは素人でも容易に組立てられるものでなければならない、そしてそれらは収納時に体積が最少のものとなる必要がある。そこでトイレとして体積の大きな便器部材▲４▼を［図６］に示めす如く、底に向って尻つぼみにテーパーを取る、断面は［図４］の便座▲２▼に似たものである。この尻つぼみテーパーにより［図２］に示めす如く、分解収納時は多数箇が積み上げられ、収納体積を最少に出来る。全体の組立図を［図１］に示めす。便器部材▲４▼の上には、うず巻流水洗部材▲３▼をセットし、水洗水流入口▲１０▼より水圧０．３気圧以上の水洗水が、うず巻流水洗部材▲３▼の下向板に測って、うず巻きとなって便器部材▲４▼の壁面を流れ下部に溜った汚物を結合管▲７▼を通って下水管▲９▼へ流す。その間便器底部材▲５▼が案内板となる。なお使用時には便器底部材▲５▼に汚物の附着無きように散紙を敷いて使用すること。うず巻流水洗部材▲３▼の上には便座▲２▼がセットされ、これは蝶番▲１１▼によって、うず巻流水洗部材▲３▼につながり、芯棒一本通すことによって連結される。便座▲２▼の上に全体の蓋▲１▼をセットする。便器部材▲４▼は支え台▲６▼によって、床▲８▼に固定される。なお、各部材蓋▲１▼、便座▲２▼、うず巻流水洗部材▲３▼、便器部材▲４▼、便器底部材▲５▼、支え台▲６▼、結合管▲７▼等は射出成形、押出成形、トランスファ成形可能な樹脂ならよく例えば高密度ポリエチレン、又は塩化ビニル樹脂により製作される。特に便器部材▲４▼はブロー成形法にて量産可能なものである。
【考案の効果】
【０００６】  以上の諸問題解決手段を行うことによって、特に大災害時の多人数用の避難場所における、多数箇のトイレ部材を避難場所の所定収納屋舎に効率よく比較的長期に渡って保持することが可能となった。
【実施例】
【０００７】  図１は全部材の組立図である。各部材全体で７箇１セットとなる。上より蓋▲１▼便座▲２▼、うず巻流水洗部材▲３▼、便器部材▲４▼、便器底部材▲５▼、支え台▲６▼、結合管▲７▼、はそれぞれ各部材ごとに、まとめて、効率よく収納され、使用時に図１に従って組み立てればよい、素人でも可能である。また体積の最も大きい、便器部材▲４▼は前記したように、つけられたテーパーにより図２に示めした如く積み重さねることが出来る、この図は１０箇積み重ねた場合を開示している。この図により本考案が収納において、如何に体積効率が良いかを示めしている。
【産業上の利用可能性】
【０００８】  本考案が我国最大のデメリットである大規模震災時に、大型避難場所例えば都立、区立、町立等の校庭等の災害備品屋舎に準備されておれば、非常時に最大の効果を発揮し利用されるものである。なお本考案の各部材は前記した如く、高分子の各成形方法にて、比較的容易に製造出来るものの組み合わせである。
【図面の簡単な説明】
【０００９】
【図１】全体の組立図
【図２】便器部材積上げ図
【図３】蓋の図
【図４】便座
【図５】うず巻流水洗部材
【図６】便器部材
【図７】便器底部材
【図８】支え台の図
【図９】結合管
【符号の説明】
【００１０】１、蓋
２、便座
３、うず巻流水洗部材
４、便器部材
５、便器底部材
６、支え台
７、結合管
８、床
９、下水管
１０、水洗水流入口
１１、蝶番
【図１】
0003153457.tif 000003
【図２】
0003153457.tif 000004
【図３】
0003153457.tif 000005
【図４】
0003153457.tif 000006
【図５】
0003153457.tif 000007
【図６】
0003153457.tif 000008
【図７】
0003153457.tif 000009
【図８】
0003153457.tif 000010
【図９】
0003153457.tif 000011
【手続補正書】
【提出日】平成21年3月9日(2009.3.9)
【手続補正１】
【補正対象書類名】実用新案登録請求の範囲
【補正対象項目名】全文
【補正方法】変更
【補正の内容】
【実用新案登録請求の範囲】
【請求項１】
非常用臨時トイレの各部材において比較的体積を要する便器部材の形体について、分解収納時に積み重ね可能にするために底に向って尻つぼみのテーパーを取ることを特徴とした便器部材を附した非常用臨時トイレ。
【請求項２】
請求項１において、うず巻流水洗部材によって、そのトイレが水洗式であることを特徴とした非常用臨時トイレ。
【請求項３】
前記便器部材とうず巻流水洗部材が高分子例えばポリエチレンまたは塩化ビニル樹脂によって作られたことを特徴とする請求項１または２記載の非常用臨時トイレ。
【請求項４】
前記便器部材がブロー成形法によって作られたことを特徴とする請求項３記載の非常用臨時トイレ。
【手続補正書】
【提出日】平成21年6月22日(2009.6.22)
【手続補正１】
【補正対象書類名】実用新案登録請求の範囲
【補正対象項目名】全文
【補正方法】変更
【補正の内容】
【実用新案登録請求の範囲】
【請求項１】
非常用臨時トイレの各部材において比較的体積を要する便器部材の形体について、分解収納時に積み重ね可能にするために底に向って尻つぼみのテーパーを取ることを特徴とした便器部材を附した非常用臨時トイレ。
【請求項２】
請求項１記載の非常用臨時トイレにおいて、うず巻流水洗部材を便座の下、便器部材の上に配置することによって、このトイレが水洗式であることを特徴とした非常用臨時トイレ。
【請求項３】
前記便器部材とうず巻流水洗部材が高分子樹脂によって作られたことを特徴とする請求項２記載の非常用臨時トイレ。
【請求項４】
前記便器部材がブロー成形法によって作られたことを特徴とする請求項３記載の非常用臨時トイレ。